Podtech/llm-jp-corpus-v4-ja_patent huggingface dataset:
(57)【要約】      （修正有）【課題】自然蒸発により加湿を行う加湿器において、持ち運びが容易で、さらに構造を簡易にすること。【解決手段】加湿器として、一定高さに水平に支持され、側面下方に１以上の穴が設けられた管体により形成される散水管と、散水管よりも上方に形成される水を流入させる口である給水口と、給水口と散水管とを連結する管体により形成される導通管とを設ける。このような構成を用いて、散水管にタオルや布などを巻きつけて、給水口より水を注いで散水管を通じてタオル等を濡らすことで、タオル等に含まれた水分の自然蒸発により加湿を行う。【選択図】図１
0003115114.tif 000002
【実用新案登録請求の範囲】
【請求項１】
一定高さに水平に支持され、側面下方に１以上の穴が設けられた管体により形成される散水管と、
前記散水管よりも上方に形成される水を流入させる口である給水口と、
前記給水口と前記散水管とを連結する管体により形成される導通管と
よりなる加湿器。  
【請求項２】
前記導通管は、前記給水口から二股に分かれて、前記散水管の両端に接続され、
前記散水管は、前記穴が中央からほぼ対称に２以上設けられる
請求項１に記載の加湿器。
【請求項３】
前記加湿器において、さらに、
前記散水管の下方に水を受ける受け皿を設けた
請求項１又は２に記載の加湿器。
【考案の詳細な説明】
【技術分野】
【０００１】
本考案は、動力を用いずに自然蒸発により加湿を行う加湿器に関する。
【背景技術】
【０００２】
一般的に、加湿器は熱した水蒸気を用いるスチーム式、水を微細化して放出する超音波式、風を送って水を気化させる気化式の３つの方式があるが、いずれのものも電力等のエネルギーを用いる必要がある。
これに対して、下記特許文献１には、タオルなどに水を含ませて自然蒸発により加湿を行う発明が示されている。これは、タオルなどを弾性体により吊るしておき、乾いた状態では上方に位置する給水容器から毛管現象によりタオル等に水が供給され、水が十分に吸収されるとタオル等の重みで弾性体が伸びて給水が終了し、この状態でタオル等の自然蒸発により加湿を行う。タオル等の水分がある程度なくなると、タオル等は軽くなるので、再び弾性体が縮んでタオル等に水が供給されるようになっている。このように、下記特許文献１に記載の発明では、長時間、適当な水分をタオル等に給水しながら加湿を行うことができる。
【特許文献１】特開昭５３−８９２３５号公報
【考案の開示】
【考案が解決しようとする課題】
【０００３】
しかしながら、上記特許文献１に記載の発明は、給水容器を有するので持ち運びの際に重くなり、また、タオル等を上下動させる機構が必要であるために構造が複雑となる。
本考案は、このような問題に鑑みて、自然蒸発により加湿を行う加湿器において、持ち運びが容易で、さらに構造を簡易にすることを課題とする。
【課題を解決するための手段】
【０００４】
上記課題を解決するために、本考案は次のような構成を有する。
請求項１に記載の考案は、一定高さに水平に支持され、側面下方に１以上の穴が設けられた管体により形成される散水管と、前記散水管よりも上方に形成される水を流入させる口である給水口と、前記給水口と前記散水管とを連結する管体により形成される導通管と
よりなる加湿器である。
この加湿器は、散水管にタオルや布などを巻きつけて、給水口より水を注いで散水管を通じてタオル等を濡らすことで、タオル等に含まれた水分の自然蒸発により加湿を行うものである。
請求項２に記載の考案は、前記加湿器において、前記導通管は、前記給水口から二股に分かれ、前記散水管の両端に接続されるものであり、前記散水管の前記穴は中央からほぼ対称に２以上設けられるものである。
請求項３に記載の考案は、前記加湿器において、さらに、前記散水管の下方に水を受ける受け皿を設けたものである。
【考案の効果】
【０００５】
請求項１に記載の考案は、給水のためのタンクを要しないので、常に加湿器全体が軽くなり、容易に持ち運ぶことができる。また、機械的な動きをすることが無いので、構造を簡易にすることができる。
請求項２に記載の考案は、散水管の両端から水が供給されることになるので、散水管に中央に対称に設けられる２以上の穴からほぼ均等に水がタオル等へ供給され、タオル等の濡れ具合にむらが生じることを抑制することができる。
請求項３に記載の考案は、散水管の下方に水を受ける受け皿を設けることで、給水口から水を多く流入させ過ぎ、タオル等から水が滴るようになっても受け皿で受けることで床等を濡らすことを防ぐことができる。
【考案を実施するための最良の形態】
【０００６】
以下、本考案の実施形態について、図を参照しながら説明する。
図１に本実施形態に係る加湿器Ｘの斜視図を示す。本加湿器Ｘは、散水管１０、給水口２０、導通管３０、受け皿４０、支持柱５０とから構成される。散水管１０は水平に配される管体であり、下面に８つの穴１１が中央に対して対称に形成されている。導通管３０は、散水管１０の両端部のそれぞれに連結される管体であり、それぞれが、散水管１０の上方へ曲がり中央へ向うように形成されている。給水口２０はロート状に形成されており、導通管３０のそれぞれの上端部は給水口２０の下端に連結される。即ち、導通管３０は給水口２０の下端から二股に分かれるようになっており、また、給水口２０は導通管３０に支持されて散水管１０よりも上方に位置するようになっている。また、給水口２０の上部には、コの字状の持ち手２１が固定されている。受け皿４０は上方が開放した扁平な箱状体により形成される。支持柱５０、５０は２本の長尺の板状体により形成され、それぞれの下端側が、受け皿４０の側面に固定されると共に、上端側が導通管３０の外壁に固定されている。これにより、導通管３０とこれに連結される散水管１０、給水口２０は支持柱５０、５０により、上方に支持固定されることとなる。これらの各構成要素は金属もしくは合成樹脂により形成される。
【０００７】
次に、以上のような構成を有する加湿器の使用方法について説明する。まず、使用者は、散水管１０にタオル等の給水力の高い布などを巻きつける。次に、給水口２０へ薬缶などを用いて水を適量注ぐ。給水口２０から供給された水は導通管３０を通って散水管の両端から散水管内へと流れ込み、穴１１よりタオル等へ導かれる。穴１１は散水管１０の幅方向にほぼ均等に設けられているので、タオル等は幅方向にほぼ均等に水分を保有することになる。なお、タオル等へ水が供給されすぎた場合は、タオル等から水が滴り落ちるが、これは受け皿４０へ落下して溜まることになる。この状態で、室内に放置しておけばタオル等に含まれた水分が自然蒸発して、室内を加湿することができる。タオル等が乾いてくれば再び給水口２０からタオル等へ給水すればよい。また、必要に応じて、持ち手２１を持って屋内の適当な場所へ移動させることもできる。この際、給水タンクが無いので、比較的軽いので簡易に運ぶことができる。さらに、構造が簡単なので、製造コストを低くすることができ、また、故障することもほとんどない。
【図面の簡単な説明】
【０００８】
【図１】実施形態に係る加湿器を示す斜視図である。
【符号の説明】
【０００９】
Ｘ  加湿器
１０  散水管
１１  穴
２０  給水口
２１  持ち手
３０  導痛管
４０  受け皿
５０  支持柱
【図１】
0003115114.tif 000003
(57)【要約】      （修正有）【課題】水滴が折り返し部に溜まることなく、常に前掛の下端の左右から床に流れ落ち、衣服の前部をぬらすことなく作業のできる防水性前掛を得ること。【解決手段】防水性前掛本体の下端部に沿って左右の端およびその中間に係合部材を有し、かつ防水性前掛本体の下端を折り返して前記のそれぞれの係合部材と係合する係合部材が防水性前掛本体の上部に有する前掛において、上部にある左右の端の係合部材が、上部の中間にある係合部材より下側に位置する防水性前掛。【選択図】図１
0003115650.tif 000002
【実用新案登録請求の範囲】
【請求項１】
防水性前掛本体の下端部に沿って左右の端およびその中間に係合部材を有し、かつ防水性前掛本体の下端を折り返して前記のそれぞれの係合部材と係合する係合部材が防水性前掛本体の上部に有する前掛において、上部にある左右の端の係合部材が、上部の中間にある係合部材より下側に位置することを特徴とする防水性前掛。
【考案の詳細な説明】
【技術分野】
【０００１】
本考案は、防水性前掛に関する。
【背景技術】
【０００２】
防水性前掛を使用して調理などの作業をする場合、作業中、前掛の前部の水滴が床に落ちたり、膝下の衣服をぬらすという問題がある。これを解消するため、防水性前掛の下端を折り返して水滴溜りを設けた前掛が知られている（特許文献１）。しかしながら、このような前掛では、水滴が折り返した部位にたまったままになり、外に流れ難いという問題がある。
【特許文献１】実開平５−２７００７号公報（請求の範囲）
【考案の開示】
【考案が解決しようとする課題】
【０００３】
本考案は、このような問題点を解決したもので、水滴が折り返し部に溜まることなく、常に前掛の下端の折り返し部の左右から床に流れ落ち、衣服の前部をぬらすことなく作業のできる防水性前掛を提供することを目的とする。
【課題を解決するための手段】
【０００４】
上記目的は、防水性前掛本体の下端部に沿って左右の端およびその中間に係合部材を有し、かつ防水性前掛本体の下端を折り返して前記のそれぞれの係合部材と係合する係合部材が防水性前掛本体の上部に有する前掛において、上部にある左右の端の係合部材が、上部の中間にある係合部材より下側に位置することを特徴とする防水性前掛を提供することによって達成される。
【考案の効果】
【０００５】
本考案によれば、水滴が折り返し部に溜まることなく、常に前掛の下端の折り返し部の左右から床に流れ落ち、衣服の前部をぬらすことなく作業のできる防水性前掛を得ることができる。
【考案を実施するための最良の形態】
【０００６】
本考案を図面により説明する。
図１は、本考案の前掛の平面図であり、前掛本体１の下端部に沿って左右の端に係合部材８、９、およびその中間に係合部材６、７を有しており、さらにその上部には、下端部を折り返したとき、上記のそれぞれの係合部材と係合する係合部材２、３、４および５を有している。左右の係合部材４、５は、中間の係合部材２、３より下側に位置している。係合部材６．７は雌型係合部材であり、係合部材８、９は裏側が雌型係合部材となっている。したがって、係合部材６、７は折り返してそのまま雄型係合部材３、２と係合し、係合部材８、９は半回転して、雄型係合部材４、５と係合する。下端部と上部にある係合部材は、雌型、雄型が逆であっても良い。
【０００７】
図２は、図１の前掛の下端を折り返して、上下の係合部材を係合した平面図であり、  
左右の端の係合部材４、５が係合部材２、３より下側に位置しているので、折り返しの下端の左右の１２部位、１３部位が、下端の中間の１４部位より下側に位置することになり、折り返し部に流れ落ちる水滴は左右に流れて前掛の側面から外に流れ落ちる。そのために前掛前部の膝下の衣服は水滴で濡れないし、また側面から外に流れ出る水滴も、側面が衣服から少し離れているために、衣服を濡らすことがない。
【０００８】
図３は、図２の側面図であり、雄型係合部材５が、雌型係合部材９と係合する直前の状態をしめしている。折り返し部１５に流れ落ちた水滴は、左右から外に流れ出る。
【０００９】
図４〜６は、本考案の他の態様を示すものであり、図１において係合部材８、９の雌型が表側になるように設けられた以外は、図１〜３と同じである。
上記図中、１０、１１は前掛の紐を通す穴を示す。
【００１０】
本考案において、上部にある左右の係合部材４、５は、上部にある係合部材２、３より下側に位置することが重要であるが、係合部材３と係合部材４とを結んだ傾斜が水平線に対し５度以上であることが好適である。また、中間にある係合部材は、１個でもよいが、図１に示すとおり、係合部材２、３の２個であることが好適である。
さらには、本考案の他の態様を示す図７のとおり、中間にある係合部材として、図１の２、３に加え、係合部材１６を設けることもできる。この係合部材１６を、図７に示すとおり、両隣の係合部材２、３より上側に設けるこことにより、水滴をよりスムースに外へ流すことができるので好適である。係合部材１６は、下端部に設けられた係合部材１７と係合する。
【００１１】
本考案において、係合部材としては、金属製または樹脂製のホック、あるいは、面フアスナー（ループ形状、またはフック形状）などが使用できる。フック形状のフアスナーとしては鉤状、きのこ状、錨形状または矢じり形状が挙げられ、具体的にはクラレ社製「マジックテープ（登録商標）、クラレ社製「マジロック」（登録商標）が挙げられる。
【００１２】
本考案において、前掛本体としては、防水シート、防水布などが挙げられ、その樹脂または布の素材としては、塩化ビニル樹脂、ポリオレフイン樹脂（ポリエチレン、ポリプロピレンなど）、ポリエステル樹脂、ポリアミド樹脂、アクリル樹脂などが挙げられる。
【産業上の利用可能性】
【００１３】
本考案の防水性前掛は、食堂などの厨房、水産業、魚屋、魚河岸における作業者に有用である。
【図面の簡単な説明】
【００１４】
【図１】本考案の前掛の平面図である。
【図２】図１の前掛の下端部を折り返して使用するときの平面図である。
【図３】図２の側面図である。
【図４】本考案の他の態様を示す前掛の平面図である。
【図５】図４の前掛の下端部を折り返して使用するときの平面図である。
【図６】図５の側面図である。
【図７】本考案の他の態様を示す前掛の平面図である。
【符号の説明】
【００１５】
１      前掛本体
２〜５  上部の係合部材
６〜９  下端部の係合部材
１５    折り返し部
【図１】
0003115650.tif 000003
【図２】
0003115650.tif 000004
【図３】
0003115650.tif 000005
【図４】
0003115650.tif 000006
【図５】
0003115650.tif 000007
【図６】
0003115650.tif 000008
【図７】
0003115650.tif 000009
(57)【要約】      （修正有）【課題】マッサージをいつでもどこでも行える携帯電話器を実現する。【解決手段】携帯電話器に強力なバイブレーション機能を持った装置を内蔵する。これに電話機の表面にＭのついたスイッチを設ける。スイッチは内蔵のバイブレーション装置を開閉制御する。携帯電話器は、常に利用者が所持するものなので、家でも職場でも簡易にマッサージを行える。その有用性は抜群で広く社会で利用される。【選択図】図１
0003115646.tif 000002
【実用新案登録請求の範囲】
【請求項１】
内蔵された強力なバイブレーション装置を開閉制御するための、スイッチボタンを折り畳み式の場合は内側に折り畳み式でない場合はディスプレイ、番号がある方の表面に設けたマッサージの出来る携帯電話器。
【考案の詳細な説明】
【技術分野】
【０００１】
本考案は、マッサージの出来る携帯電話器に関する。
【背景技術】
【０００２】
マッサージの機械は主にどっかりと椅子に座って行うようなものが主流であり、他にも様々あるが、持ち運びが出来いつでも、どこでも行えるようなものはない。
【特許文献１】特にありません。
【非特許文献１】携帯式電話器をマッサージに使うという発想は全くありません。
【考案の開示】
【考案が解決しようとする課題】
【０００３】
本考案は、殆んど常に持っている携帯電話器で、いつでも、どこでもスイッチ一つで簡単にマッサージ出来るようにする。
【課題を解決するための手段】
【０００４】
本考案は、内蔵された強力なバイブレーション装置を開閉制御するための、スイッチボタンを表面に設けたマッサージの出来る携帯電話器である。表面とは折り畳み式の携帯電話の場合は、内側に又、折り畳み式でない携帯電話の場合はディスプレイ、番号のボタンがある方に印Ｍのスイッチを設けたマッサージが出来る携帯電話である。
【考案の効果】
【０００５】
携帯電話利用者は、殆んど常にそれを持っている。その携帯電話器で、マッサージが出来れば、家でも職場の休息時間にでも簡単にマッサージが出来る。ストレスが溜まりやすい現代で常にマッサージが出来るということは、画期的なことである。肩、首、腰、足など身体のどの部分も行える。特に風呂上りとか朝起きた時、夜寝る前等、いつでも、どこでも用いることが出来る。又、職場でも、通勤途中でも少しの時間を見付ければ利用できる。
【考案を実施するための最良の形態】
【０００６】
携帯電話器の内部に強力なバイブレーション装置を内蔵する。このバイブレーション装置は様々な方法があるがこの考案ではそれは特定しない。
【０００７】
携帯電話器は折り畳み式の物が多いがその一部にマッサージのＭの字が入ったスイッチ１を設け、これがバイブレーション装置を開閉制御する。２はディスプレイ部３は、数字ボタンを示す。
【０００８】
電気を使うためバッテリーの容量を普通のより数倍大きくし、バイブレーションによる電話器の故障がないようにする。
【０００９】
今の電話器にも、人に受信を感知させる弱いバイブレーション装置はあるが、これは人に感知させる為のもので、本考案のマッサージの出来るものとは、目的が異なり、出力の強さが全く異なる。
【産業上の利用可能性】
【００１０】
マッサージを、常に持ている携帯電話器で行うことは、非常に優れており、広く、現代社会で用いられる可能性が大である。、
【図面の簡単な説明】
【００１１】
【図１】平面図である。
【符号の説明】
【００１２】
１  スイッチ
２  ディスプレイ部
３  数字ボタン
【図１】
0003115646.tif 000003
(57)【要約】      （修正有）【課題】生物分解可能な食品容器用板紙を提供する。【解決手段】板紙上に、ポリ乳酸（PLA）、ポリエチレン・テレフタレート（PET）、又は、コーンスターチが押し出しコーティングされ、生物分解可能な層を形成する。ここで、これらの材料は、加熱されることにより液体となり、板紙上に押し出しコーティングされ、泡状の層が形成され、両者がシリコンローラ及び冷却ローラの間を通ることにより、生物分解可能な層２０が板紙１０上に均一に押圧され、生物分解可能な層２０の材料が、板紙１０の繊維と結合する。【選択図】図２
0003115660.tif 000002
【実用新案登録請求の範囲】
【請求項１】
板紙及び前記板紙上に押し出しコーティングされた生物分解可能な層を含んでなる、生物分解可能な食品容器用板紙。
【請求項２】
前記生物分解可能な層が、ポリ乳酸（PLA）である、請求項１の食品容器用板紙。
【請求項３】
前記生物分解可能な層が、ポリエチレン・テレフタレート（PET）である、請求項１の食品容器用板紙。
【請求項４】
前記生物分解可能な層が、コーンスターチである、請求項１の食品容器用板紙。
【考案の詳細な説明】
【技術分野】
【０００１】
本考案は、生物分解可能な食品容器用板紙に関し、特に、ポリ乳酸（PLA）、ポリエチレン・テレフタレート（PET）、又はコーンスターチからなるコーティング層を含む生物分解可能な食品容器用板紙に関する。
【背景技術】
【０００２】
紙によって製造される従来の食品容器は、板紙及びその外側に接着される外層とを含む。この外層は、印刷された図案を含み、食品と接触することはなく、ポリエチレン（PE）、ポリプロピレン（PP）、ポリ塩化ビニル（PVC）、又は、コーンスターチから作られたものである。ここでは、コーンスターチのみが生物分解可能である。この外層は、特定の厚みを持たせる必要があり、食品容器に接着される前に図案がその上に印刷されることになる。また、接着剤が均一に使用されていない場合には剥がれる可能性がある。さらに、この外層は特定の厚みを持たせる必要があるので、製造コストが高くなる。さらに、ポリエチレン（PE）、ポリプロピレン（PP）、ポリ塩化ビニル（PVC）は、生物分解可能ではない。
【考案の開示】
【考案が解決しようとする課題】
【０００３】
本考案の目的は、板紙に押し出しコーティングされたポリ乳酸（PLA）、ポリエチレン・テレフタレート（PET）、又はコーンスターチからなる層を含む、生物分解可能な食品容器用板紙を提供することである。
【課題を解決するための手段】
【０００４】
すなわち、本考案の生物分解可能な食品容器用板紙は、以下よりなる。
１．板紙及び前記板紙上に押し出しコーティングされた生物分解可能な層を含んでなる、生物分解可能な食品容器用板紙。
２．前記生物分解可能な層が、ポリ乳酸（PLA）である、前項１の食品容器用板紙。
３．前記生物分解可能な層が、ポリエチレン・テレフタレート（PET）である、前項１の食品容器用板紙。
４．前記生物分解可能な層が、コーンスターチである、前項１の食品容器用板紙。
【考案の効果】
【０００５】
本考案により、生物分解可能な食品容器が提供され、その製造が容易となった。
【考案を実施するための最良の形態】
【０００６】
以下に、本考案の生物分解可能な食品容器用板紙の一実施形態を示し、具体的に説明するが、本考案はこれらに限定されるものではない。
【０００７】
図１及び２において、本考案に係る生物分解可能な食品容器用板紙は、ロール状に巻かれた状態であって、押し出しコーティングされた生物分解可能な層２０が、板紙１０を覆っている。生物分解可能な層２０は、ポリ乳酸（PLA）、ポリエチレン・テレフタレート（PET）、又はコーンスターチからなる。
【０００８】
生物分解可能な層２０は、PET（例えばデュポン社のBiomax PET、Far-Eastern Textile Ltd（台湾）の生物分解可能なPET粒子）、ネイチャーワークスL.L.C.によるポリ乳酸（PLA）粒子、又はコーンスターチから作ることができる。これらの材料は、加熱されることにより液体となり、押出機によって押し出し加工される。ここで、この液体はT-Die装置によって押し出し加工されて泡状の層２０を形成する。ロール状の板紙１０が、予熱され、コロナ処理される。
【０００９】
その後、泡状の層２０が板紙１０上に塗布され、シリコンローラ及び冷却ローラの間に通されると、生物分解可能な層２０が板紙１０上に均一に押圧され、生物分解可能な層２０の材料が、板紙１０の繊維と結合する。その後、押圧された板紙１０と生物分解可能な層２０は、再度コロナ処理され、裁断・折り曲げが可能となり、食品容器として使用できるようになる。
【産業上の利用可能性】
【００１０】
本考案の生物分解可能な食品容器用板紙は、生物分解可能な層２０と板紙１０との間に接着剤が必要でなく、また生物分解可能な層２０が特定の厚みを有する必要がなく、製造工程が単純化でき、製造コストを下げることができる。板紙１０及び生物分解可能な層２０の材料は共に生物分解可能であり、生物分解可能な層２０の材料は数ヶ月以内に水と二酸化炭素に分解することができる。板紙１０は、所望の形状に裁断できるようロール状の形態で販売することができる。
【図面の簡単な説明】
【００１１】
【図１】本考案の生物分解可能な食品容器用板紙が、ロール状に巻かれた状態を示す図である。
【図２】本考案の生物分解可能な食品容器用板紙の断面図である。
【符号の説明】
【００１２】
１０      板紙
２０      生物分解可能な層
【図１】
0003115660.tif 000003
【図２】
0003115660.tif 000004
(57)【要約】      （修正有）【課題】円筒またはそれに近い形状の器具により、犬猫等のペットや乳幼児等による、電気製品本体並びに遠隔操作装置の誤作動を防止する装置に関する。【解決手段】円筒またはそれに近い形状の器具より成る装置本体１であって、粘着剤２で電気製品に接着する。これにより、操作ボタンやスイッチ類を防御し、犬猫等のペットや乳幼児または、使用者本人等による、電気製品本体並びに遠隔操作装置の誤作動防止に役立つ。【選択図】図２
0003115698.tif 000002
【実用新案登録請求の範囲】
【請求項１】
円筒またはそれに近い形状の器具により、犬猫等のペットや乳幼児、または使用者本人等による、電気製品本体並びに遠隔操作装置の誤作動を防止する装置。
【考案の詳細な説明】
【技術分野】
【０００１】  本考案は円筒またはそれに近い形状の器具により、犬猫等のペットや乳幼児等による、電気製品本体並びに遠隔操作装置の誤作動を防止する装置に関するものである。
【背景技術】
【０００２】  電気製品の発達は、ボタンで機器の操作を瞬時にかつ効率よくできるような工夫が多くなってきた。が、反面では犬猫等のペットや乳幼児等による、電気製品本体並びに遠隔操作装置の誤作動が起きやすくなった。また、使用者本人も、踏んだり間違って押したりする誤作動が多くなっている。
【考案の開示】
【考案が解決しようとする課題】
【０００３】  上述のような誤作動やそれにによる思わぬ被害を防ぐようにしたのが本考案である。
【課題を解決するための手段】
【０００４】  犬猫等のペットや乳幼児等による、電気製品本体並びに遠隔操作装置の誤作動の防止を目的としたものである。
【考案の効果】
【０００５】  本考案は、電気製品本体並びに遠隔操作装置の誤作動防止に役立つ。
【考案を実施するための最良の形態】
【０００６】  円筒またはそれに近い形状の器具により、犬猫等のペットや乳幼児等による、電気製品本体並びに遠隔操作装置の誤作動防止に役立つ。
【図面の簡単な説明】
【０００７】
【図１】  本装置の正面図である。
【図２】  本装置の側面図である
【符号の説明】
【０００８】  １  本装置本体である。
２  本装置をボタンやスイッチのまわりに固定するための粘着剤である。
【図１】
0003115698.tif 000003
【図２】
0003115698.tif 000004
【手続補正書】
【提出日】平成17年7月14日(2005.7.14)
【手続補正１】
【補正対象書類名】実用新案登録請求の範囲
【補正対象項目名】全文
【補正方法】変更
【補正の内容】
【実用新案登録請求の範囲】
【請求項１】
器具への接着のために本体底部に粘着剤を塗布し、円筒またはそれに近い形状によりボタンやスイッチを保護することを特徴とした装置。
(57)【要約】      （修正有）【課題】ブローチ状のアクセサリーにおいて、スプリングを利用して飛行状態を想起する部品を有することにより、揺れるアクセサリーを実現し、アクセサリーの多様性を提供する。【解決手段】ブローチ状のアクセサリーの部品は、スプリング状の部品（１）、揺れる部品を装着する棒状の部品（２）、楕円状の保持具（３）およびブローチ状のアクセサリーに固定するための棒状の部品（４）により構成される。【選択図】図１
0003115696.tif 000002
【実用新案登録請求の範囲】
【請求項１】
ブローチ状のアクセサリーにおいて、飛行状態を想起する部品を有することを特徴とするアクセサリー
【考案の詳細な説明】
【考案の詳細な説明】
【技術分野】
【０００１】本考案は、ブローチ状のアクセサリーにおいて、スプリングを利用して飛行状態を想起する部品を有することにより、揺れるアクセサリーを実現し、アクセサリーの多様性を提供する新規のアクセサリーに関するものである。
【背景技術】
【０００２】従来、ブローチ状のアクセサリーは、全ての部品が固定されており、揺れる部品を有するアクセサリーは実現できていない。
【考案が解決しようとする課題】
【０００３】ブローチ状のアクセサリーにおいて、揺れる部品を有するアクセサリーを実現する。
【課題を解決するための手段】
【０００４】上記の課題を解決するために、本考案では、ブローチ状のアクセサリーにおいて、スプリングを利用し揺れる部品を有するアクセサリーを容易に提供することとした。
【考案を実施するための最良の形態】
【０００５】本考案になる揺れる部品について、図面に示す具体的な実施例にもとづいて説明する。
図１はブローチ状のアクセサリーの揺れる部品を装着するスプリングおよびスプリングの保持機構により構成される部品である。【０００６】図１に示すブローチ状のアクセサリーの部品は、スプリング状の部品（１）、揺れる部品を装着する棒状の部品（２）、楕円状の保持具（３）およびブローチ状のアクセサリーに固定するための棒状の部品（４）により構成される。
【考案の結果】
【０００７】本考案は、上記のように構成され、揺れる部品を装着する棒状の部品（２）に飛行状態を想起させる部品を装着し、棒状の部品（４）を使用してブローチ本体に固定することにより、スプリング（１）の作用により棒状の部品（２）に装着された揺れる部品の揺れを実現した。
【図面の簡単な説明】
【０００８】
【図１】図１は、スプリング状の部品（１）、揺れる部品を装着する棒状の部品（２）、楕円状の保持具（３）およびブローチ状のアクセサリーに固定するための棒状の部品（４）を示す。
【図２】図２は、図１に示す部品の側面図を示す。
【図３】図３は、図１に示す部品の立面図を示す。
【符号の説明】
【０００９】１  スプリング状の部品
２  揺れる部品を装着する棒状の部品
３  楕円状の保持具
４  ブローチ状のアクセサリーに固定するための棒状の部品
【図１】
0003115696.tif 000003
【図２】
0003115696.tif 000004
【図３】
0003115696.tif 000005
【手続補正書】
【提出日】平成17年3月24日(2005.3.24)
【手続補正１】
【補正対象書類名】実用新案登録請求の範囲
【補正対象項目名】全文
【補正方法】変更
【補正の内容】
【実用新案登録請求の範囲】
【請求項１】
ブローチ状のアクセサリーにおいて、アクセサリーをスプリング状の部品、揺れる部品を装着する棒状の部品、楕円状の保持具およびこれらをブローチ状のアクセサリーに固定するための棒状の部品により構成し、飛行状態あるいは揺れを想起する部品を有することを特徴とするアクセサリー
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
ブローチ状のアクセサリーにおいて、揺れる部品およびその揺れる部品を装着する棒状の部品をスプリング状の部品に装着し、それらを保持する楕円状の保持具およびそれらをブローチ状のアクセサリーに固定するための棒状の部品により構成し、飛行状態あるいは揺れを想起する部品を有することを特徴とするアクセサリー
(57)【要約】【課題】袖あきを開閉容易な衣類を提供する。【解決手段】１対の面ファスナー１ａ，１ｂが、袖口３の袖あき４を挟む両端部３ａ，３ｂに設けられ、袖あき４を開閉可能になっている。１対の面ファスナー１ａ，１ｂは、少なくとも一方の面ファスナー１ａが袖口３の内側面３ｃに設けられている。ボタン２が、装飾性の高い飾りボタン２から成っている。ボタン２は、袖口３の一方の面ファスナー１ａに対して反対側の外側面３ｄに取り付けられている。【選択図】図１
0003115680.tif 000002
【実用新案登録請求の範囲】
【請求項１】
袖を有し、袖あきを開閉可能な衣類であって、袖口の袖あきを挟む両端部に、前記袖あきを開閉可能な１対の面ファスナーを有することを、特徴とする袖あきを開閉容易な衣類。
【請求項２】
前記１対の面ファスナーは少なくとも一方の面ファスナーが前記袖口の内側面に設けられ、
前記袖口の前記一方の面ファスナーに対して反対側の外側面にボタンを有することを、
特徴とする請求項１記載の袖あきを開閉容易な衣類。
【考案の詳細な説明】
【技術分野】
【０００１】
本考案は、袖あきを開閉容易な衣類に関する。
【背景技術】
【０００２】
一般に、袖を有し、袖あきを開閉可能なワイシャツなどの衣類は、袖口に設けられたボタンやカフスボタンで袖あきを開閉するようになっている。
【考案の開示】
【考案が解決しようとする課題】
【０００３】
しかしながら、一般的なワイシャツなどの衣類では、片手でボタンやカフスボタンを留めたり外したりしなければならず、袖あきを開閉しにくいという課題があった。特に、冬期の寒い時期に手がかじかんだときや、手先に力が入りにくい年輩者や身障者などでは、袖あきをボタンで開閉するのは極めて困難である。
【０００４】
本考案は、このような従来の課題に着目してなされたもので、袖あきを開閉容易な衣類を提供することを目的とする。
【課題を解決するための手段】
【０００５】
上記目的を達成するために、本考案に係る袖あきを開閉容易な衣類は、袖を有し、袖あきを開閉可能な衣類であって、袖口の袖あきを挟む両端部に、前記袖あきを開閉可能な１対の面ファスナーを有することを、特徴とする。
【０００６】
本考案に係る袖あきを開閉容易な衣類は、１対の面ファスナーが袖口の袖あきを挟む両端部に設けられているため、片手でも袖あきの開閉が容易である。このため、冬期の寒い時期に手がかじかんだときや、手先に力が入りにくい年輩者や身障者などでも、袖あきを容易に開閉することができる。これにより、手間をかけずに、容易に着脱することができる。また、袖口を各面ファスナーで留めたとき、各面ファスナーが隠れるため、見た目がよい。
【０００７】
本考案に係る袖あきを開閉容易な衣類は、上半身に着る衣類であって、袖を有し、袖あきを開閉可能な衣類であれば、いかなるものであってもよく、例えば、ワイシャツ・カッターシャツなどのドレスシャツのほか、ブルゾン・ジャケットなどの上着でもよいが、特に、ワイシャツから成ることが好ましい。ワイシャツから成る場合、袖口にカフスボタン用の穴が設けられていてもよい。これにより、面ファスナーで留めた袖口に、カフスボタンを取り付けることができ、装飾性を高めることができる。また、袖口に貼付式などの着脱可能なカフスボタンが設けられていてもよい。
【０００８】
本考案に係る袖あきを開閉容易な衣類で、前記１対の面ファスナーは少なくとも一方の面ファスナーが前記袖口の内側面に設けられ、前記袖口の前記一方の面ファスナーに対して反対側の外側面にボタンを有していてもよい。この場合、袖口を各面ファスナーで留めたとき、一般的なワイシャツのようにボタンで留めたように見せかけることができる。また、飾りボタンなどの装飾性の高いボタンを取り付けることにより、装飾性を高めることもできる。なお、ボタンは、着脱可能であってもよい。
【考案の効果】
【０００９】
本考案によれば、袖あきを開閉容易な衣類を提供することができる。
【考案を実施するための最良の形態】
【００１０】
以下、図面に基づき本考案の実施の形態について説明する。
図１は、本考案の実施の形態の、袖あきを開閉容易な衣類を示している。
図１に示すように、袖あきを開閉容易な衣類は、ワイシャツから成り、１対の面ファスナー１ａ，１ｂとボタン２とを有している。
【００１１】
図１に示すように、１対の面ファスナー（商標「マジックテープ」）１ａ，１ｂは、袖口３の袖あき４を挟む両端部３ａ，３ｂで、袖口３の互いに反対面に設けられている。面ファスナー１ａ，１ｂは、袖口３に縫い付けられている。なお、面ファスナー１ａ，１ｂは、袖口３に市販の接着材により貼り付けられていてもよい。面ファスナー１ａ，１ｂは、互いに着脱して袖あき４を開閉可能になっている。
【００１２】
図１に示すように、ボタン２は、装飾性の高い飾りボタンから成っている。ボタン２は、袖口３の一端部３ａの内側面３ｃに設けられている面ファスナー１ａに対して、反対側の袖口３の外側面３ｄに取り付けられている。
【００１３】
次に、作用について説明する。
本考案の実施の形態の、袖あきを開閉容易な衣類は、１対の面ファスナー１ａ，１ｂが袖口３の袖あき４を挟む両端部３ａ，３ｂに設けられているため、片手でも袖あき４の開閉が容易である。このため、冬期の寒い時期に手がかじかんだときや、手先に力が入りにくい年輩者や身障者などでも、袖あき４を容易に開閉することができる。これにより、手間をかけずに、容易に着脱することができる。
【００１４】
袖口３を各面ファスナー１ａ，１ｂで留めたとき、各面ファスナー１ａ，１ｂが隠れるため、見た目がよい。また、袖口３の外側面３ｄにボタン２を有しているため、一般的なワイシャツのようにボタン２で留めたように見せかけることができる。
【図面の簡単な説明】
【００１５】
【図１】本考案の実施の形態の、袖あきを開閉容易な衣類の袖口を示す斜視図である。
【符号の説明】
【００１６】
１ａ，１ｂ  面ファスナー
２    ボタン
３    袖口
４    袖あき
【図１】
0003115680.tif 000003
(57)【要約】【課題】円に近い状態で開く事のできる傘を提供する。【解決手段】傘1の骨2の本数を十八に数値限定する。【選択図】  図１
0003115629.tif 000002
【実用新案登録請求の範囲】
【請求項１】
傘1の骨2の本数を、十八に数値限定して成る十八本骨傘。
【考案の詳細な説明】
【技術分野】
【０００１】
本発明は、雨傘や日傘などの、柄付きの傘に関する。
【背景技術】
【０００２】
従来の傘に於ける骨の本数は八本が大多数で、折り畳み傘では六本骨もあった。
【考案の開示】
【考案が解決しようとする課題】
【０００３】
従来技術でも、普通に使用するには問題無いが、放射状に開く骨どうしの間隔が広い事から角張った円である多角形にしかならず、美的に落ちる物であった。本発明では、円に近い状態で傘を開く事ができ、見た目を豪華にする、という課題の解決を目的とする。
【課題を解決するための手段】
【０００４】
傘を円に近い状態で開くには骨の本数を増やす事であり、本数を多くすれば円に近付けるが、畳んだ状態では骨が嵩張って重くなり、大して重くならず、美的に丸く感じるのは、骨の数を十八本にする事である。
【考案の効果】
【０００５】
傘の骨を十八本にする事で、骨の嵩張りや重さも適度に納まり、開いた状態が円に近い事から美的に向上し、豪華に見える。
【考案を実施するための最良の形態】
【０００６】
最良の形態を、図１から図３を参照しながら、以下の実施例で説明する。
【実施例１】
【０００７】
図１は、開き状態下面斜視図であり、傘1の骨2は、柄3の芯を基点とする放射状に開き、骨2どうし間を室4とし、全部の室4を膜5で覆い、傘1自体の基本構造は従来技術を用い、骨2の本数を全部で十八と数値限定し、骨2の本数を十八にした事で室4の個々の幅が狭くなり、よって、傘1を円に近い状態で開く事ができ、見た目が豪華になる。
【実施例２】
【０００８】
図２は、開き状態要部透視上面斜視図であり、骨2の本数を十八に数値限定している事で各々の室4は細くなり、室4に張られた膜5は細長い二等辺三角形の類似形状を成し、膜5の底辺に相当する縁は直線ではあるが短く、よって傘1の開き状態周囲縁は細分化された事と同じになり、真上から見れば十八角形であり、多角形の角数を多くするに伴って各々の角度は大きくなり、一辺を短くして角の角度が広がれば全体的に丸く見え、その結果、豪華さを演出する事になる。
【実施例３】
【０００９】
図３は、開き状態要部透視側面斜視図であり、骨2の本数が十八である事によって、各々の室4の外周縁が短くなり、傘1の開き状態は円に近づいて豪華に見え、柄3を持って傘1を差すのであり、本発明物は洋傘に分類されるが、骨2を十八本にした事によって、開き形状が円に近くなったので、番傘のような和傘にも近付き、洋傘でありながらも和装にも合わせる事ができる。
【図面の簡単な説明】
【００１０】
【図１】開き状態下面斜視図（実施例１）
【図２】開き状態要部透視上面斜視図（実施例２）
【図３】開き状態要部透視側面斜視図（実施例３）
【符号の説明】
【００１１】
１  傘
２  骨
３  柄
４  室
５  膜
【図１】
0003115629.tif 000003
【図２】
0003115629.tif 000004
【図３】
0003115629.tif 000005
(57)【要約】【課題】容器の水滴の落下を防ぎ、テーブルや衣服を濡らしたり汚したりするのを防止することができる容器用吸水具を提供する。【解決手段】コップや缶、ペットボトルなどの容器１に巻き付けて使用される。本体１１が、帯状で吸水性を有し、容器１の側面１ａの下部に巻き付け可能な長さを有している。本体１１は、表面１１ａの一端１１ｂに設けられている。本体１１は、固定部１２とずれ止め部１３と押え部１４とを有している。固定部１２は、裏面１１ｃを固定可能になっている。ずれ止め部１３は、粘着性を有し、裏面１１ｃに設けられている。押え部１４は、本体１１の一端１１ｂの一方の側部に突出して設けられている。【選択図】図１
0003115616.tif 000002
【実用新案登録請求の範囲】
【請求項１】
コップなどの容器に使用される容器用吸水具であって、
帯状で吸水性を有し、前記容器の側面の下部に巻き付け可能な長さを有し、表面の一端に設けられて前記表面の裏面を固定可能な固定部と、前記裏面に設けられて容器の表面に粘着可能なずれ止め部と、前記一端の一方の側部に突出して設けられた押え部とを有することを、
特徴とする容器用吸水具。
【考案の詳細な説明】
【技術分野】
【０００１】
本考案は、コップなどの容器に使用される容器用吸水具に関する。
【背景技術】
【０００２】
従来の容器用吸水具は、コースターから成り、コップなどの容器の下に敷いて使用され、結露による容器の底面の水滴や側面から滴る水滴を受け止めて、テーブルが濡れたり汚れたりするのを防止するようになっている。
【考案の開示】
【考案が解決しようとする課題】
【０００３】
しかしながら、従来の容器用吸水具では、コップなどの容器を持ち上げて中身を飲むとき、容器の側面についた水滴が落下して、テーブルや衣服を濡らしたり汚したりしやすいという課題があった。
【０００４】
本考案は、このような従来の課題に着目してなされたもので、容器の水滴の落下を防ぎ、テーブルや衣服を濡らしたり汚したりするのを防止することができる容器用吸水具を提供することを目的とする。
【課題を解決するための手段】
【０００５】
上記目的を達成するために、本考案に係る容器用吸水具は、コップなどの容器に使用される容器用吸水具であって、帯状で吸水性を有し、前記容器の側面の下部に巻き付け可能な長さを有し、表面の一端に設けられてその裏面を固定可能な固定部と、前記裏面に設けられて容器の表面に粘着可能なずれ止め部と、前記一端の一方の側部に突出して設けられた押え部とを有することを、特徴とする。
【０００６】
本考案に係る容器用吸水具は、コップや缶、ペットボトルなどの容器の側面の下部に巻き付けて使用される。巻き付けるとき、まず、表面を外側にして、全体が動かないよう押え部を容器に押しつけて押える。容器の側面の下部に巻き付け、表面の一端に設けられた固定部に裏面を固定する。このとき、押え部が一端の一方の側部に突出して設けられているため、押え部で押えたまま裏面を固定することができる。こうして、容器の側面の下部に容易に巻き付けることができる。
【０００７】
本考案に係る容器用吸水具は、吸水性を有しているため、結露により容器の側面を滴る水滴を吸収することができる。また、容器を持ち上げたときにも容器に巻き付けられているため、容器の側面についた水滴を吸収して、水滴の落下を防ぐことができる。このため、テーブルや衣服を濡らしたり汚したりするのを防止することができる。裏面には粘着性のずれ止め部が設けられているため、容器からずれて外れるのを防ぐことができる。
【０００８】
本考案に係る容器用吸水具は、吸湿性の良好な紙から成ることが好ましい。この場合、製造コストを低減することができ、使い捨てにして常に新しい清潔なものを使用することができる。また、本考案に係る容器用吸水具は、ナイロンなど洗濯可能な材質から成っていてもよい。この場合、使用のたびに洗濯して繰り返し使用することができる。
【考案の効果】
【０００９】
本考案によれば、容器の水滴の落下を防ぎ、テーブルや衣服を濡らしたり汚したりするのを防止することができる容器用吸水具を提供することができる。
【考案を実施するための最良の形態】
【００１０】
以下、図面に基づき本考案の実施の形態について説明する。
図１および図２は、本考案の実施の形態の容器用吸水具を示している。
図１に示すように、容器用吸水具１０は、本体１１がナイロン製で、吸水性を有している。本体１１は、帯状で、コップなどの容器の側面の下部に巻き付け可能な長さを有している。本体１１は、固定部１２とずれ止め部１３と押え部１４とを有している。固定部１２は、粘着性を有し、本体１１の表面１１ａの一端１１ｂに設けられている。固定部１２は、表面１１ａの反対側となる裏面１１ｃを固定可能で、繰り返し着脱可能になっている。
【００１１】
ずれ止め部１３は、容器の表面１１ａに沿ってずれない程度の粘着性を有し、本体１１の裏面１１ｃに設けられている。ずれ止め部１３は、本体１１の幅方向に沿って所定の幅で設けられ、本体１１の長さ方向に沿って等間隔に３つ設けられている。押え部１４は、本体１１の一端１１ｂの一方の側部に突出して設けられている。押え部１４は、ほぼ半円形状を成し、固定部１２に隣接して設けられている。
【００１２】
次に、作用について説明する。
図２に示すように、容器用吸水具１０は、コップや缶、ペットボトルなどの容器１の側面１ａの下部に巻き付けて使用される。巻き付けるとき、まず、表面１１ａを外側にして、本体１１が動かないよう押え部１４を容器１に押しつけて押える。本体１１を容器１の側面１ａの下部に巻き付け、表面１１ａの一端１１ｂに設けられた固定部１２に、表面１１ａの裏面１１ｃを固定する。このとき、押え部１４が本体１１の一端１１ｂに一方の側部から突出して設けられているため、押え部１４で押えたまま裏面１１ｃを固定することができる。こうして、容器１の側面１ａの下部に容易に巻き付けることができる。
【００１３】
本体１１が吸水性を有しているため、結露による容器１の側面１ａを滴る水滴２を吸収することができる。また、容器１を持ち上げたときにも容器１に巻き付けられているため、容器１の側面１ａについた水滴２を吸収して、水滴２の落下を防ぐことができる。このため、テーブルや衣服を濡らしたり汚したりするのを防止することができる。本体１１の裏面１１ｃには粘着性のずれ止め部１３が設けられているため、容器１からずれて外れるのを防ぐことができる。
【００１４】
本体１１は洗濯可能なナイロン製であるため、使用のたびに洗濯して繰り返し使用することができる。なお、本体１１は、表面１１ａに様々な色や模様、お気に入りのキャラクターなどが描かれていてもよい。この場合、使用者が自分の好みや気分に合わせて選び、使用することができる。
【図面の簡単な説明】
【００１５】
【図１】本考案の実施の形態の容器用吸水具を示す正面図である。
【図２】図１に示す容器用吸水具の使用状態を示す正面図である。
【符号の説明】
【００１６】
１    容器
２    水滴
１０  容器用吸水具
１１  本体
１２  固定部
１３  ずれ止め部
１４  押え部
【図１】
0003115616.tif 000003
【図２】
0003115616.tif 000004
(57)【要約】【課題】  この考案は、車椅子側に座席から乗用車の座席に乗り移るのに便利な装置を設け、介助者の作業を簡単にすることのできる介助用車椅子を開発・提供することにある。【解決手段】  車椅子において、車椅子本体（１）の肘掛け部（２）の一方、あるいは、両方を、着脱可能に設け、かつ、車椅子本体（１）の座席シート（３）と、倒伏可能な背もたれ部（４）と足置き部（５）とを一体に設け、これら座席シート（３）の裏面には、昇降装置（Ｘ）を設け、かつ、昇降装置（Ｘ）は、使用時には地面（Ａ）に接触し、かつ、昇降装置（Ｘ）の支軸（６）と、座席シート（３）は移動可能に設けたことを特徴とする介助用車椅子から構成される。【選択図】      図１
0003115632.tif 000002
【実用新案登録請求の範囲】
【請求項１】
車椅子において、車椅子本体（１）の肘掛け部（２）の一方、あるいは、両方を、取り外し可能に設け、かつ、車椅子本体（１）の座席シート（３）と、倒伏可能な背もたれ部（４）と足置き部（５）とを一体に設け、これら座席シート（３）の底面であって、車椅子本体（１）に昇降装置（Ｘ）を設け、座席シート（３）は、昇降装置（Ｘ）の支軸（６）とスライド可能に設けたことを特徴とする介助用車椅子。
【考案の詳細な説明】
【技術分野】
【０００１】
この考案は、介助用車椅子に関するものである。
【背景技術】
【０００２】
従来、歩行困難な人や、介助の必要な身体の不自由な人は、室内にいる際も、外出する際にも、車椅子に乗せて、介助者が押して移動している。
【０００３】
しかしながら、遠くに出掛けて行く場合には、車椅子から自動車に、一端乗り換えて移動する必要があり、そのため、ワンボックスカーのような比較的大きな自動車では、リヤー部に昇降装置が備えてあり、車椅子ごと乗り降りできるよう構成されている。
【０００４】
しかし、通常の乗用車では、そのような装置を装備することは不可能であり、車椅子から乗用車のシートに乗り移り、移動している。しかし、この乗り移る場合には、大変、煩雑であり、介助する側も大変な作業であった。
【０００５】
尚、車椅子がリクライニング式のものは存在する。例えば、特許文献１のように。
また、段差解消のための車椅子に、伸縮自在なキャスター付き電動モーターアクチュエーターを配備したものは存在した。例えば、特許文献２のように。
【特許文献１】特開平５−３０５１１２号公報
【特許文献２】特開２００３−１８０７５７号公報
【考案の開示】
【考案が解決しようとする課題】
【０００６】
そこで、この考案は、介助用の車椅子であって、車椅子の座席から乗用車の座席に乗り移るのに便利な装置を、車椅子側に設け、しかも、それにより、介助者の作業の負担を軽減することのできる介助用車椅子を開発・提供することにある。
【課題を解決するための手段】
【０００７】
上記目的を達成するために、車椅子において、車椅子本体（１）の肘掛け部（２）の一方、あるいは、両方を、着脱可能に設け、かつ、車椅子本体（１）の座席シート（３）と、倒伏可能な背もたれ部（４）と足置き部（５）とを一体に設け、これら座席シート（３）の底面には、昇降装置（Ｘ）を設け、かつ、昇降装置（Ｘ）の支軸（６）と、座席シート（３）はスライド可能に設けた介助用車椅子を構成したものである。
【考案の効果】
【０００８】
この考案の介助用車椅子によると、車椅子に設けた昇降装置により、座席シートの高さを、自動車のシートの高さと同じに調整し、車椅子から乗用車のシートに乗り移りが簡単に出来、介助する者にとっても、その作業が楽である。
【０００９】
また、昇降装置は、使用時には、車椅子の車輪と同等に地面に踏ん張るよう構成することにより、移動時には、車椅子が移動することなく、安全である。
【考案を実施するための最良の形態】
【００１０】
そこで、この考案は、介助用車椅子と座席シートの昇降装置とを組み合わせたものであり、座席シートは昇降装置の支軸の上下動により昇降し、かつ、該支軸を中心に、座席シートがスライドするよう構成したものである。
【実施例】
【００１１】
以下、この考案の一実施例を図面に従って説明すると、車椅子において、車椅子本体（１）の肘掛け部（２）の一方、あるいは、両方を、取り外し可能に設け、かつ、車椅子本体（１）の座席シート（３）と、倒伏可能な背もたれ部（４）と足置き部（５）とを一体に設け、これら座席シート（３）の底面であって、車椅子本体（１）に昇降装置（Ｘ）を設け、座席シート（３）は、昇降装置（Ｘ）の支軸（６）とスライド可能に設けたことを特徴とする介助用車椅子から構成される。
【００１２】
尚、昇降装置（Ｘ）は、使用時には地面（Ａ）に接触するよう構成し、車椅子の車輪（Ｙ）と同等に地面に踏ん張るよう構成し、移動時には、伸縮して車輪（Ｙ）の接地面より上方に位置するよう伸縮可能に構成してもよい。
【００１３】
さらに、座席シート（３）には、前後方向にスライドするよう図示したが、左右方向に移動するよう構成しても、当然よいものである。また、支軸（６）は図４に示すように、上端部にベアリング（７）を設け、滑らかに移動可能にしている。
【００１４】
また、座席シート（３）と昇降装置（Ｘ）の支軸（６）とは、ロック装置（Ｂ）を設け、車椅子から自動車に乗り移ったり、逆に自動車から車椅子に乗り移る際に、座席シート（３）の移動が一時停止され、安全をはかるよう構成するものである。
その一例としては、図４、図５に示すように、平常時は垂れ下がった略コ字状のフレームを、昇降装置（Ｘ）の支軸（６）に押圧することにより、座席シート（３）がロックされるものである。尚、ロック装置（Ｂ）は他の手段であってもよい。
【産業上の利用可能性】
【００１５】
この考案は、車椅子の製造技術を確立し、この車椅子を大量に製造及び販売することにより、産業上利用可能性がある。
【図面の簡単な説明】
【００１６】
【図１】この考案の一実施例を示す側面図である。
【図２】この考案の一実施例を示す座席シートの一部欠截側面図である。
【図３】この考案の一実施例を示す座席シートの一部欠截側面図である。
【図４】この考案の一実施例を示す座席シートの一部欠截側面図である。
【図５】この考案の一実施例を示す座席シートの正面図である。
【符号の説明】
【００１７】
１  車椅子本体
２  肘掛け部
３  座席シート
４  背もたれ部
５  足置き部
６  昇降装置の支軸
Ａ  地面
Ｂ  ロック装置
Ｘ  昇降装置
Ｙ  車輪
【図１】
0003115632.tif 000003
【図２】
0003115632.tif 000004
【図３】
0003115632.tif 000005
【図４】
0003115632.tif 000006
【図５】
0003115632.tif 000007